(57)【要約】【課題】ティッシュペーパーの補充時にティッシュを箱に収容されている状態のまま収容することができ、ティッシュペーパーにクセをつけさせることなく、ティッシュケースから容易に取り出すことができると共に外表面を容易にカスタマイズすることを可能にしたティッシュケースを提供すること。【解決手段】平面視長方形をなすと共に中央部に開口部１６が形成された平面部１２と、平面部１２の外周縁に沿って平面部１２の下面側に起立させた側壁部１４と、側壁部１４の対向する内表面のうち少なくとも一対の内表面のそれぞれにおいて、高さ方向に所要間隔をあけて設けられた支持体取付部１８と、支持体取付部１８に着脱可能な支持体２０と、を具備していることを特徴とするティッシュケース１０である。【選択図】図１
2020050364.tif 000002
【特許請求の範囲】
【請求項１】
平面視長方形をなすと共に中央部に開口部が形成された平面部と、
前記平面部の外周縁に沿って前記平面部の下面側に起立させた側壁部と、
前記側壁部の対向する内表面のうち少なくとも一対の前記内表面のそれぞれにおいて、高さ方向に所要間隔をあけて設けられた支持体取付部と、
前記支持体取付部に着脱可能な支持体と、を具備していることを特徴とするティッシュケース。
【請求項２】
前記支持体は、前記支持体取付部に進入する進入部と前記側壁部の内側空間に収容されたティッシュの底面を支持する支持板とからなる平面視凸形状に形成されていることを特徴とする請求項１記載のティッシュケース。
【請求項３】
少なくとも一対の対向する前記側壁部は、前記側壁部の内側空間に向けて湾曲する湾曲面に形成されていることを特徴とする請求項１または２記載のティッシュケース。
【発明の詳細な説明】
【技術分野】
【０００１】
本発明はティッシュケースに関する。
【背景技術】
【０００２】
ティッシュペーパー束をティッシュケースに収容することにより、ティッシュペーパー束を安定した状態で収容することができ、かつ、容易に取り出しすることを可能にした構成が特許文献１（実用新案登録第３１９６０４６号）等において提案されている。
【０００３】
特許文献１に開示されているティッシュケース２の構成は、略三角形状の突起部７を有する収納部６に積層された状態のティッシュペーパー束５を載置することで、ティッシュペーパー束５を逆Ｖ字状に折り畳んだ状態で収容するものである。また、ティッシュケース２の上面には開口部３が形成されており、この開口部３からティッシュケース２に収容されたティッシュペーパー束５の一部が取り出される。
【０００４】
特許文献１におけるティッシュケースによれば、ティッシュペーパー束５を安定した状態で収容することができ、容易に連続引き出しをすることができるとされている。
【先行技術文献】
【特許文献】
【０００５】
【特許文献１】実用新案登録第３１９６０４６号公報（請求項１，図２等）
【発明の概要】
【発明が解決しようとする課題】
【０００６】
図７は、特許文献１におけるティッシュケースにティッシュペーパー束を収容するときの状態を示したものである。図７に示すように、特許文献１におけるティッシュケース２にティッシュペーパー束５を補充する際には、ティッシュペーパー束５をティッシュ箱から取り出す必要があるため煩雑であるという課題がある。また、このようなティッシュケース２から取り出したティッシュペーパーにはＶ字状または湾曲状のクセがついてしまうため、使用者はティッシュケース２から取り出したティッシュペーパーを延ばす等してクセを直さなければならないといった課題を有している。
【０００７】
また、ティッシュペーパー束５の厚さは様々な暑さのものが存在し、ティッシュペーパーを引き出す度にティッシュペーパー束５の厚さは減少する。ティッシュペーパーに湾曲状のクセをつけないようにすべく平らな状態でティッシュペーパー束５をティッシュケースに収容すると、ティッシュペーパー束５の厚さ（高さ）がティッシュケース２の高さよりも低い場合、ティッシュペーパーがうまく引き出せなくなることがあるといった課題も有している。
【課題を解決するための手段】
【０００８】
そこで本発明は、ティッシュペーパー束の補充時にティッシュを箱に収容されている状態のまま収容することができ、ティッシュペーパーにクセをつけさせることなく、ティッシュケースから容易に取り出すことを可能にしたティッシュケースの提供を目的としている。
【０００９】
上記課題を解決するため本出願の発明者が鋭意研究した結果、以下の構成に想到した。すなわち、本発明は、平面視長方形をなすと共に中央部に開口部が形成された平面部と、前記平面部の外周縁に沿って前記平面部の下面側に起立させた側壁部と、前記側壁部の対向する内表面のうち少なくとも一対の前記内表面のそれぞれにおいて、高さ方向に所要間隔をあけて設けられた支持体取付部と、前記支持体取付部に着脱可能な支持体と、を具備していることを特徴とするティッシュケースである。
【００１０】
これにより、ティッシュケースにティッシュペーパー束を補充する際には、ティッシュペーパー束をティッシュの箱から取り出す必要がなく、ティッシュペーパー束の補充作業が容易である。また、側壁部の所要高さ位置に取り付けた支持体により、ティッシュの箱に合わせた高さ位置でティッシュの箱を支持させることができ、取り出したティッシュペーパーにクセがつくことがなく、ティッシュケースからのティッシュペーパーの取り出しが容易である。
【００１１】
また、前記支持体は、前記支持体取付部に進入する進入部と前記側壁部の内側空間に収容されたティッシュペーパー束の底面を支持する支持板とからなる平面視凸形状に形成されていることが好ましい。
【００１２】
これにより、支持体を容易に側壁部の内表面に取り付けすることができる。
【００１３】
また、少なくとも一対の対向する前記側壁部は、前記側壁部の内側空間に向けて湾曲する湾曲面に形成されていることが好ましい。
【００１４】
これにより、側壁部の湾曲内表面間でティッシュケースを挟持させることができ、ティッシュケースを横置きした際などにおいてもティッシュペーパー束を適切な状態で収容することができる。
【発明の効果】
【００１５】
本発明におけるティッシュケースの構成を採用することにより、ティッシュケースにティッシュペーパー束を補充する際には、ティッシュペーパー束をティッシュの箱から取り出す必要がなく、ティッシュペーパー束の補充作業が容易である。また、ティッシュペーパー束がティッシュの箱に入った状態で、ティッシュの箱の大きさに合わせた高さ位置に収容することができるため、取り出したティッシュペーパーにクセがつくことがなく、ティッシュケースからのティッシュペーパーの取り出しが容易である。
【図面の簡単な説明】
【００１６】
【図１】第１実施形態におけるティッシュケースの斜視図である。
【図２】第１実施形態におけるティッシュケースの底面図である。
【図３】第１実施形態におけるティッシュケースの側壁部の内表面の状態を示す斜視図である。
【図４】第１実施形態におけるティッシュケースにティッシュ箱を収容した状態を示す概略断面図である。
【図５】第２実施形態におけるティッシュケースの底面側から臨んだ側壁部中間高さ位置における断面図である。
【図６】ティッシュケースの変形例を示す断面図である。
【図７】従来技術におけるティッシュケースの組み立て図である。
【発明を実施するための形態】
【００１７】
（第１実施形態）
本実施形態におけるティッシュケース１０は、図１〜図４に示すように、平面視長方形をなす平面部１２と、平面部１２の外周縁に沿って平面部１２の下面側に起立させた側壁部１４とを具備する函体に形成されている。このようなティッシュケース１０は、ポリエチレン、ポリプロピレン等の合成樹脂により形成することができるが、これらの材質に限定されるものではない。
【００１８】
図１および図２に示すように、平面部１２には中央部に平面部１２の板厚方向に貫通するハート形の開口部１６が形成されている。本実施形態においては、開口部１６がティッシュケース１０からのティッシュペーパーＰの取り出し口になっているため、開口部１６は扁平したハート形をなしている。このようなハート形の開口部１６を採用することで、ティッシュケース１０の外観を向上させることができる。
【００１９】
本実施形態においては、平面部１２の短手方向の外周縁から起立している側壁部１４の内表面において、側壁部１４の高さ方向に所要間隔をあけて設けられた支持体取付部としての凹部１８が２箇所に設けられている。本実施形態における凹部１８の内底面１８Ａの位置は、図２および図４に示すように側壁部１４の板厚内に位置するように形成されている。このような凹部１８を採用することにより、ティッシュケース１０の外表面に凹部１８（進入部２２の先端）が露出することがなく、ティッシュケース１０の外表面にデコレーションを行う際の邪魔になることがない。
【００２０】
図３に示すように、凹部１８には支持体２０が着脱可能に取り付けられる。支持体２０は、凹部１８に進入する進入部２２と、側壁部１４の内側空間に収容されたティッシュペーパー束としてのパッケージティッシュ３０の底面を支持する支持板２４とを有する平面視凸形状に形成されている。支持板２４に対する進入部２２の突出高さＨは、凹部１８の深さ寸法と等しく形成されており、進入部２２の突出高さＨは、側壁部１４の板厚寸法未満である。また、支持板２４の幅寸法Ｗ２は、ティッシュケース１０の長手側端縁に沿って立設された側壁部１４の内表面間寸法Ｗ１以下に形成されていれば特に限定されるものではない。
【００２１】
このようなティッシュケース１０にティッシュペーパー束を収容する際には、図４に示すように紙箱や合成樹脂フィルムに収容されたティッシュペーパー束としてのパッケージティッシュ３０の高さ寸法に合わせて、側壁部１４の高さ方向に複数設けられた凹部１８の中から適宜選択した凹部１８に支持体２０を取り付ければよい。また、本実施形態におけるティッシュケース１０によれば、パッケージティッシュ３０のパッケージから取り出した状態のティッシュペーパーＰを収容することもできる。
【００２２】
本実施形態におけるティッシュケース１０によれば、パッケージティッシュ３０をティッシュケース１０の側壁部１４の内側空間において開口部１６に対して適切な高さ位置に水平に収容することができる。これによりティッシュケース１０から取り出したティッシュペーパーＰに曲げクセがつくことはなく、直ちに使用することができる点において好都合である。
【００２３】
また、本実施形態におけるティッシュケース１０は、底面開口の函体に形成されていて、平面部１２および側壁部１４はいずれも外表面が平坦面に形成されているので、平面部１２および側壁部１４の外表面にデコレーションシートの貼り付けや、ペインティングがきわめて容易に行うことができる。これにより、使用者の好みに合わせてティッシュケース１０の外観をデコレーションすることができる。このような自分好みにカスタマイズしたティッシュケース１０を用いることで、日常生活における心の豊かさを向上させることができる。
【００２４】
（第２実施形態）
図５は第２実施形態におけるティッシュケースの底面側から臨んだ側壁部の高さ方向中間部における断面図である。先に説明した第１実施形態においては、側壁部１４が平面部１２の外周縁に沿って平面部１２の下側面に起立させた直立平坦面をなす形態について説明しているが、図５に示すように、側壁部１４の内側空間に向けて湾曲する湾曲側壁部１４Ａに形成することもできる。このような湾曲側壁部１４Ａは、樹脂成形上のヒケ等の変形を利用することができる。
【００２５】
本実施形態のティッシュケース１０によれば、ティッシュケース１０の内側空間に湾曲した対向する一対の湾曲側壁部１４Ａの内表面の間にパッケージティッシュ３０を挟持させることができる。これにより、パッケージティッシュ３０は支持体２０によりパッケージティッシュ３０の底面が保持されると共に、湾曲側壁部１４Ａの内表面によりパッケージティッシュ３０の側面が挟持されることになる。すなわち、ティッシュケース１０の開口部１６を上に向けた状態はもちろんのこと、開口部１６を側方に向けた状態で使用しても、開口部１６に対して適切な位置にパッケージティッシュ３０を配置させることができる点において好都合である。
【００２６】
以上に本発明におけるティッシュケース１０について、実施形態に基づいて詳細に説明したが、本発明は以上の実施形態に限定されるものではない。例えば以上の実施形態におけるティッシュケース１０は、凹部１８を側壁部１４の高さ方向において２箇所に配した形態について説明しているが、側壁部１４の高さ方向において所要間隔をあけて３箇所以上に凹部１８を配することもできる（図６参照）。
【００２７】
また、図６に示すように、凹部１８を側壁部１４の板厚方向に対して凹部１８の開口面１８Ｂが内底面１８Ａよりも上側（開口部１６の側）になるように傾斜させるようにしてもよい。このような凹部１８によれば、ティッシュペーパーＰに湾曲状のクセをつけさせることなく、ティッシュペーパーＰの中央部分を開口部１６に押し上げることができるため、ティッシュペーパーＰの取り出しがさらに容易になる点で好都合である。
【００２８】
また、凹部１８は平面部１２の短手方向に起立させた側壁部１４のみに配した形態について説明しているが、長手方向に起立させた側壁部１４のみに配した形態やすべての側壁部１４の高さ方向に複数の凹部１８を配した形態を採用することもできる。
【００２９】
そして、本実施形態においては、支持体取付部として凹部１８を採用した構成について説明しているが、支持体取付部は側壁部１４を板厚方向に貫通させた貫通孔にすることもできる。
【００３０】
また、第２実施形態においては、長手方向における側壁部１４として湾曲面を有する湾曲側壁部１４Ａを配しているが、短手方向における側壁部１４として湾曲面を有する湾曲側壁部１４Ａを配することもできる。
【００３１】
そして以上の変形例の他、実施形態において説明した形態を適宜組み合わせた構成を採用することも可能である。
【符号の説明】
【００３２】
１０  ティッシュケース，
１２  平面部，
１４  側壁部，１４Ａ  湾曲側壁部，
１６  開口部，
１８  凹部，１８Ａ  内底面，１８Ｂ  開口面，
２０  支持体，
２２  進入部，
２４  支持板，
３０  パッケージティッシュ（ティッシュペーパー束），
Ｐ  ティッシュペーパー
【図１】
2020050364.tif 000003
【図２】
2020050364.tif 000004
【図３】
2020050364.tif 000005
【図４】
2020050364.tif 000006
【図５】
2020050364.tif 000007
【図６】
2020050364.tif 000008
【図７】
2020050364.tif 000009